(57)【要約】【課題】外付けの調光器と対応付けて制御しない照明器具であっても、簡単に設置位置を把握することができる照明制御システムを提供する。【解決手段】実施の形態に係る照明制御システムは、照明空間に配置され、電波を受信する受信機を備えた照明器具と、電波を送信する少なくとも３つの送信機と、照明器具を信号受信状態として、少なくとも３つの送信機から電波を送信させ、照明器具の受信機が少なくとも３つの送信機から送信された電波を受信した時間間隔から照明器具の配置位置を検出するとともに、照明器具の配置図を生成し、表示部に表示する照明制御部とを備える。【選択図】図１
2015005369.tif 000002
【特許請求の範囲】
【請求項１】
照明空間に配置され、電波を受信する受信機を備えた照明器具と；
電波を送信する少なくとも３つの送信機と；
前記照明器具を信号受信状態として、前記少なくとも３つの送信機から電波を送信させ、前記照明器具の受信機が前記少なくとも３つの送信機から送信された電波を受信した時間間隔から前記照明器具の配置位置を検出するとともに、前記照明器具の配置図を生成し、表示部に表示する照明制御部と；
を備えたことを特徴とする照明制御システム。
【請求項２】
照明空間に配置され、電波を送信する送信機を備えた照明器具と；
前記照明器具の送信機から送信された電波を受信する少なくとも３つの受信機と；
前記照明器具の送信機から電波を送信させ、前記少なくとも３つの受信機が前記照明器具の送信機から送信された電波を受信した時間間隔から前記照明器具の配置位置を検出するとともに、前記照明器具の配置図を生成し、表示部に表示する照明制御部と；
を備えたことを特徴とする照明制御システム。
【請求項３】
照明空間に配置され、電波の強度を測定することが可能な受信機を備えた照明器具と；
電波を送信する少なくとも３つの送信機と；
前記照明器具を信号受信状態として、前記少なくとも３つの送信機から電波を送信させ、前記照明器具の受信機が前記少なくとも３つの送信機から送信された電波の強度から前記照明器具の配置位置を検出するとともに、前記照明器具の配置図を生成し、表示部に表示する照明制御部と；
を備えたことを特徴とする照明制御システム。
【請求項４】
照明空間に配置され、電波を送信する送信機を備えた照明器具と；
前記照明器具の送信機から送信された電波の強度を測定することが可能な少なくとも３つの受信機と；
前記照明器具の送信機から電波を送信させ、前記少なくとも３つの受信機が前記照明器具の送信機から送信された電波の強度から前記照明器具の配置位置を検出するとともに、前記照明器具の配置図を生成し、表示部に表示する照明制御部と；
を備えたことを特徴とする照明制御システム。
【請求項５】
前記照明器具は、前記照明器具の方位を検知する方位センサ及び前記照明器具の角度を検知する角度センサを有し、
前記照明制御部は、前記方位センサで検知された前記照明器具の方位と、前記角度センサで検知された前記照明器具の角度を前記配置図に反映させることを特徴とする請求項１から４のいずれか１つに記載の照明制御システム。
【発明の詳細な説明】
【技術分野】
【０００１】
本発明の実施形態は、照明制御システムに関する。
【背景技術】
【０００２】
従来、舞台等に使用される調光システムにおいては、舞台等の照明を調光操作卓により一括制御する方法が一般的である。例えば、調光操作卓によって、舞台照明として演出された照明状態が得られるように調光器を制御するための調光制御情報を生成する。調光操作卓は、この調光制御情報を、例えば、ＤＭＸ５１２（１９９０）（米国劇場技術協会（ＵＳＩＴＴ）規格）の規格に沿った形式のＤＭＸ信号として調光盤に伝送する。
【０００３】
調光盤には各照明器具用の位相制御式の調光器が設けられており、調光操作卓からの調光制御情報によって各調光器が制御されることで、各調光器に対応した照明器具が一括して調光制御されるようになっている。
【０００４】
ところで、調光操作卓において照明空間の照明を自由に制御するためには、調光操作卓から制御する各照明器具が照明空間のいずれの位置に夫々配置されているかを把握する必要がある。ハロゲン機器等の照明器具については、照明器具を取り付ける昇降バトンの取付口と、調光盤における調光器とを１対１に対応付けることで、照明器具の位置を判断する。
【０００５】
即ち、昇降バトンには各調光器の負荷回路に夫々接続される複数の接続端子（負荷コンセント）が設けられており、各接続端子に各照明負荷の負荷線を夫々接続する。昇降バトンの接続端子と調光器とは１対１に対応しており、昇降バトンの接続端子に対応する照明器具の取付口の照明空間における位置は既知であるので、調光操作卓において、いずれの調光器を制御すればいずれの位置の照明器具を調光制御できるかを把握することができる。
【０００６】
しかし、近年、ＬＥＤ照明機器のように、調光器の負荷回路を必要とすることなく、内蔵する点灯制御手段によって、１００Ｖ商用電源とＤＭＸ等の制御線を接続することで調光点灯制御可能な照明器具も増えてきた。このような照明器具は、調光器とは無関係に配置されることになり、負荷コンセントの場所や数に依存することなく何処にでも設置することができる。このため、このような照明器具については、調光器と対応付けてその設置位置を特定することはできない。
【０００７】
このような場合、照明器具の配置位置の特定は、各照明器具に固有のＩＤを用いて行うことが考えられる。即ち、照明バトンの設置位置とその位置に取り付ける照明器具のＩＤとの対応を、全ての位置の照明器具毎に登録するのである。しかしこの登録作業は、極めて煩雑である。更に、光源の寿命時には、ハロゲンランプ器具であれば単にランプ交換だけでよいが、ＬＥＤ照明器具の場合には照明器具全体の交換が必要になることが多く、従って、その後にＩＤの再登録作業が必要である。
【先行技術文献】
【特許文献】
【０００８】
【特許文献１】特開２００７−６６５８５号公報
【特許文献２】特開２００７−２６５７６６号公報
【発明の概要】
【発明が解決しようとする課題】
【０００９】
そこで、本実施形態は、外付けの調光器と対応付けて制御しない照明器具であっても、簡単に設置位置を把握することができる照明制御システムを提供することを目的とする。
【課題を解決するための手段】
【００１０】
実施の形態に係る照明制御システムは、照明空間に配置され、電波を受信する受信機を備えた照明器具と；電波を送信する少なくとも３つの送信機と；前記照明器具を信号受信状態として、前記少なくとも３つの送信機から電波を送信させ、前記照明器具の受信機が前記少なくとも３つの送信機から送信された電波を受信した時間間隔から前記照明器具の配置位置を検出するとともに、前記照明器具の配置図を生成し、表示部に表示する照明制御部と；を備える。
【発明の効果】
【００１１】
実施形態によれば、外付けの調光器と対応付けて制御しない照明器具であっても、簡単に設置位置を把握することができる照明制御システムを提供することができる。
【図面の簡単な説明】
【００１２】
【図１】第１の実施の形態に係る照明制御システムを示す説明図である。
【図２】照明バトンの詳細な構成を説明するための図である。
【図３】照明器具Ｌの詳細な構成を説明するための図である。
【図４】照明器具Ｈ，Ｌの配置図の例を説明するための図である。
【図５】照明制御部３の制御を示すフローチャートである。
【図６】第２の実施の形態に係る照明制御システムを示す説明図である。
【図７】照明器具Ｌの詳細な構成を説明するための図である。
【図８】照明制御部３の制御を示すフローチャートである。
【発明を実施するための形態】
【００１３】
実施の形態の照明制御システムは、照明空間に配置され、電波を受信する受信機を備えた照明器具と；電波を送信する少なくとも３つの送信機と；前記照明器具を信号受信状態として、前記少なくとも３つの送信機から電波を送信させ、前記照明器具の受信機が前記少なくとも３つの送信機から送信された電波を受信した時間間隔から前記照明器具の配置位置を検出するとともに、前記照明器具の配置図を生成し、表示部に表示する照明制御部と；を備える。
【００１４】
また、実施の形態の照明制御システムは、照明空間に配置され、電波を送信する送信機を備えた照明器具と；前記照明器具の送信機から送信された電波を受信する少なくとも３つの受信機と；前記照明器具の送信機から電波を送信させ、前記少なくとも３つの受信機が前記照明器具の送信機から送信された電波を受信した時間間隔から前記照明器具の配置位置を検出するとともに、前記照明器具の配置図を生成し、表示部に表示する照明制御部と；を備える。
【００１５】
また、実施の形態の照明制御システムは、照明空間に配置され、電波の強度を測定することが可能な受信機を備えた照明器具と；電波を送信する少なくとも３つの送信機と；前記照明器具を信号受信状態として、前記少なくとも３つの送信機から電波を送信させ、前記照明器具の受信機が前記少なくとも３つの送信機から送信された電波の強度から前記照明器具の配置位置を検出するとともに、前記照明器具の配置図を生成し、表示部に表示する照明制御部と；を備える。
【００１６】
また、実施の形態の照明制御システムは、照明空間に配置され、電波を送信する送信機を備えた照明器具と；前記照明器具の送信機から送信された電波の強度を測定することが可能な少なくとも３つの受信機と；前記照明器具の送信機から電波を送信させ、前記少なくとも３つの受信機が前記照明器具の送信機から送信された電波の強度から前記照明器具の配置位置を検出するとともに、前記照明器具の配置図を生成し、表示部に表示する照明制御部と；を備える。
【００１７】
また、照明制御システムは、前記照明器具が、前記照明器具の方位を検知する方位センサ及び前記照明器具の角度を検知する角度センサを有し、前記照明制御部は、前記方位センサで検知された前記照明器具の方位と、前記角度センサで検知された前記照明器具の角度を前記配置図に反映させる。
【００１８】
以下、図面を参照して本発明の実施の形態について詳細に説明する。
【００１９】
（第１の実施の形態）
図１は、第１の実施の形態に係る照明制御システムを示す説明図であり、図２は、照明バトンの詳細な構成を説明するための図である。
【００２０】
図１において、照明制御システム１は、テレビスタジオ、劇場、ホール、舞台等の照明空間１０に設置されるものである。照明制御システム１は、照明空間１０を照明する照明部２、照明部２の点消灯、調光、調色、照明方向等の照明を制御する照明制御部３及び照明部２の調光を行う調光盤４、バトン制御部５、表示装置６、同期信号生成部７、複数（本実施の形態では４つ）の送信機２０ａ〜２０ｄ（以下、代表して送信機２０という）によって構成される。通常、調光盤４及びバトン制御部５は、照明空間１０とは異なる設置場所に設置されている。調光盤４は、図２に示すように、複数の調光器９ａ１，９ａ２，…，９ｂ１，９ｂ２，…，…（以下、代表して調光器９という）を有している。
【００２１】
照明部２は、照明空間１０に配置される複数の照明バトン１５ａ，１５ｂ，…（以下、代表して照明バトン１５という）を有している（図１では、照明バトン１５ｃに関して、代表して照明部２の符号を付している）。図２に示すように、照明バトン１５ａは、配線等が収納された照明ボックス１６ａ及び照明ボックス１６ａに支持された吊り具１４ａによって構成される。照明バトン１５ａは、図示しない支持部材に支持されて照明空間１０の天井１０ａ等に昇降自在に取り付けられることが一般的である。
【００２２】
バトン制御部５は、図示しない支持部材を制御することで、照明バトン１５ａの昇降を行うようになっている。なお、図２では１つの吊り具１４ａ及び照明ボックス１６ａによって構成される照明バトン１５ａのみを示しているが、他の照明バトン１５ｂ，…の構成も照明バトン１５ａと同様である。
【００２３】
また、図１では、調光盤４及びバトン制御部５からの配線を照明バトン１５ａに関する照明部２に対してのみ表しているが、これは図の簡略化を図るためであり、必要に応じて他の照明部２に対しても配線されるものである。
【００２４】
図１及び図２に示すように、各照明バトン１５には、複数の照明器具Ｈ１，Ｈ２，…，Ｌ１，Ｌ２，…，が取り付けられている。なお、図１及び図２では、照明バトン１５に７個の照明器具Ｈ１〜Ｈ３，Ｌ１〜Ｌ４が取り付けられることを示しているが、取り付け個数等は自由に設定可能である。
【００２５】
照明器具Ｈ１〜Ｈ３（以下、代表して照明器具Ｈという）の光源は、調光器９によって夫々調光制御される例えばハロゲンランプ等であり、照明器具Ｌ１〜Ｌ４（以下、代表して照明器具Ｌという）の光源は調光器９から電力の供給を受ける必要が無く、照明器具Ｌに内蔵される点灯制御手段により制御される、例えばＬＥＤ等である。
【００２６】
各照明器具Ｈ，Ｌには、照明バトン１５ａに取り付けるための取り付け器具８ａ１〜８ａ７（以下、代表して取り付け器具８という）が必要に応じて設けられている。また、照明バトン１５ａには、照明器具Ｈに負荷線１７を介して調光器９からの電力を供給するための接続端子Ｄ１〜Ｄ３と、照明器具Ｌに電源線１８を介して商用交流電源１００Ｖを供給するための接続端子Ｅ１〜Ｅ４と、制御線１１を介して伝送される調光信号を照明器具Ｌに供給するための接続端子Ｆ１〜Ｆ３とが配設されている。
【００２７】
照明器具Ｈ１〜Ｈ３の各コネクタＨ１ａ〜Ｈ３ａは、夫々接続端子Ｄ１〜Ｄ３に接続されており、各照明器具Ｈは各調光器９から夫々電力の供給を受けて点灯制御される。一方、照明器具Ｌ１〜Ｌ４は、夫々電源コネクタＬ１ｂ〜Ｌ４ｂを有しており、これらの電源コネクタＬ１ｂ〜Ｌ４ｂを夫々接続端子Ｅ１〜Ｅ４に接続することで、照明器具Ｌ１〜Ｌ４への電源供給が行われる。また、照明器具１〜Ｌ３は夫々制御コネクタＬ１ａ〜Ｌ３ａを有しており、これらの制御コネクタＬ１ａ〜Ｌ３ａを夫々接続端子Ｆ１〜Ｆ３に接続することで、照明器具Ｌ１〜Ｌ３に制御信号が供給されるようになっている。なお、照明器具Ｌ４は、制御線Ｌ４ｃが照明器具Ｌ３に接続され、照明器具Ｌ３の制御コネクタＬ３ａ及び制御線Ｌ４ｃを介して制御信号が供給されるようになっている。
【００２８】
本実施の形態において、照明器具Ｈ，Ｌの配置位置を規定する取り付け器具８ａ１〜８ａ７に対応して、接続端子Ｄ１〜Ｄ３，Ｅ１〜Ｅ４，Ｆ１〜Ｆ３が設けられている。後述するように、照明制御部３は、これらの接続端子Ｄ１〜Ｄ３と調光器９との対応関係に基づいて、照明器具Ｈの配置位置を認識するようになっている。また、照明制御部３は、複数の送信機２０から所定の時間間隔で送信される電波を受信する際の時間間隔から各照明器具Ｌの配置位置を認識するようになっている。
【００２９】
各照明器具Ｈの配置位置は、照明バトン１５ａ〜１５ｆの取り付け器具８の位置によって規定されるようになっている。照明制御部３は、照明バトン１５ａの取り付け器具８ａ１〜８ａ７の位置にそれぞれアドレス＃ａ１〜＃ａ７を割当て、照明バトン１５ｂの取り付け器具８ｂ１〜８ｂ７の位置にアドレス＃ｂ１〜＃ｂ７を割当てる。照明制御部３は、照明バトン１５ｃ〜１５ｆについても同様にアドレスを割当て、これらのデータを保持する。
【００３０】
照明器具Ｈについては、電力供給用の接続端子Ｄ１〜Ｄ３と各調光器９ａ１〜９ａ３とが１対１に対応している。また、接続端子Ｄ１〜Ｄ３と取り付け器具８ａ１，８ａ３，８ａ５とを対応付けて照明器具Ｈ１〜Ｈ３を設置する。これにより、照明制御部３は、取り付け器具８ａ１，８ａ３，８ａ５に取り付けられた照明器具Ｈ１〜Ｈ３に、アドレス＃ａ１，＃ａ３，＃ａ５を割当てる。接続端子Ｄ１〜Ｄ３は、調光器９ａ１〜９ａ３に対応しており、照明制御部３は、アドレス＃ａ１，＃ａ３，＃ａ５の照明器具を調光制御する場合には、制御線１２を介して調光器９ａ１〜９ａ３に対する調光制御信号を出力すれば良い。
【００３１】
全ての照明バトンの接続端子Ｄ１〜Ｄ３には、対応する取り付け器具８に取り付けられた照明器具Ｈのコネクタが接続されて、対応する調光器９から調光制御された電力が供給されるようになっており、照明制御部３は、各照明器具Ｈの設置位置を調光器９に対応付けて把握することができる。
【００３２】
なお、配置位置を規定する取り付け器具８を設けることなく、予め接続端子Ｄ１〜Ｄ３の位置を認識しておき、接続端子Ｄ１〜Ｄ３と調光器９ａ１〜９ａ３との対応関係から照明器具Ｈの設置位置を把握するようにしてもよい。
【００３３】
これに対し、照明器具Ｌは、調光器９に対応付けることはできない。そこで、本実施の形態においては、送信機２０ａ〜２０ｄから所定の時間間隔で照明器具Ｌに電波を送信し、照明器具Ｌが受信した電波の時間差から照明器具Ｌの配置位置を検出するようにしている。
【００３４】
図１に示すように、照明空間１０の天井１０ａ面の所定の位置には、４つの送信機２０ａ〜２０ｄが取り付けられている。照明制御部３は、制御線１１を介して、配置位置を検出したい照明器具Ｌ（例えば照明器具Ｌ１）に対して信号受信状態の命令を送る。なお、照明制御部３と照明器具Ｌとは、ＲＤＭ（リモートデバイスマネージメント）やＬＡＮを使用して双方向の通信を行う。また、制御線１１を無線伝送路により構成することも可能である。なお、ＲＤＭはＥＳＴＡで正式に定義されるプロトコル（ＡＮＳＩ/ＥSTA 1.20, Entertainment Technology - Remote Device Management ）であり、演出空間照明で使用されているＤＭＸ５１２信号のラインを使用して双方向の通信を確立するオープンなプロトコルである。
【００３５】
照明制御部３は、照明器具Ｌに対して信号受信状態の命令を送信すると、同期信号生成部７にも照明器具Ｌに対して信号受信状態の命令を送信したことを通知する。同期信号生成部７は、照明制御部３からの通知に基づき、信号受信状態の命令に同期した制御信号を送信機２０ａ〜２０ｄに送信する。送信機２０ａ〜２０ｄは、同期信号生成部７からの制御信号に応じて、所定の時間間隔、例えば、１秒間隔で順次電波を送信する。
【００３６】
図３は、照明器具Ｌの詳細な構成を説明するための図である。図３に示すように、照明器具Ｌには、送信機２０ａ〜２０ｄからの電波を受信する受信機２１、照明器具Ｌの方位を検知する方位センサ２２、及び、照明器具Ｌの角度を検知する角度センサ２３が設けられている。
【００３７】
照明器具Ｌの受信機２１は、信号受信命令を受けてから、各送信機２０ａ〜２０ｄからの電波を受信する。照明器具Ｌは、信号受信命令を受けてから、各送信機２０ａ〜２０ｄからの電波を受信機２１が電波を受信するまでの時間を計測する。照明器具Ｌは、この計測した時間、すなわち、信号受信状態の命令から各送信機２０ａ〜２０ｄからの電波が到達した時間を、制御線１１を介して照明制御部３に送信する。このとき照明器具Ｌは、方位センサ２２により検知された照明器具Ｌの方位、及び、角度センサ２３により検知された照明器具Ｌの角度の情報を照明制御部３に送信する。
【００３８】
照明制御部３は、各送信機２０ａ〜２０ｄからの電波が到達した時間の間隔、すなわち、時間差から、信号受信状態の命令を送った照明器具Ｌの配置位置を検出する。照明空間１０での送信機２０ａ〜２０ｄの位置は予め判っているため、３つ以上の電波の受信時間から照明器具Ｌの配置位置を検出することができる。信号受信状態の命令を受けた照明器具Ｌが、例えば、送信機２０ａ、２０ｂ、２０ｃからの電波を１秒間隔で受信した場合、３つの送信機２０ａ、２０ｂ、２０ｃの位置の略中央に配置されていると判断することができる。そのため、本実施の形態では、照明制御システム１は、４つの送信機２０ａ〜２０ｄを有する構成であるが、少なくとも３つの送信機を有する構成であればよい。
【００３９】
照明制御部３は、照明バトン１５ａの照明器具Ｌ２〜Ｌ４、及び、他の照明バトン１５ｂ〜１５ｆの照明器具Ｌに対しても同様の処理を行い、各照明バトン１５の各照明器具Ｌの配置位置を検出する。
【００４０】
照明制御部３は、このように検出した照明器具Ｌの配置図を生成し、表示装置６に表示する。また、照明制御部３は、各照明器具Ｌから送信される方位センサ２２や角度センサ２３からの検知結果に基づき、照明器具Ｌの方向や角度を検出し、配置図に反映する。
【００４１】
従来では、モータ制御の搭載していない照明器具の方向や角度は判らなかったが、方位センサ２２や角度センサ２３からの検知結果を配置図に反映することにより、照明器具の方向や角度を照明制御装置３側で簡単に判断できるようになる。この結果、照明バトン１５に照明器具を吊り込んだ後の確認作業時間を大幅に短縮することができる。
【００４２】
図４は、照明器具Ｈ，Ｌの配置図の例を説明するための図である。
【００４３】
図４に示すように、照明制御部３は、上述したように検出された照明器具Ｈ，Ｌの配置位置、方向、角度を反映させて、表示装置６の表示部６ａに表示する。ユーザは、表示部６ａに表示された照明器具を例えばマウスや画面をタッチする等で選択し、点消灯、調光レベル、調色レベル、照明方向等の制御信号を入力することで、選択した照明器具の制御することができる。
【００４４】
次に、このように構成された実施の形態の動作について図５を参照して説明する。図５は、照明制御部３の制御を示すフローチャートである。
【００４５】
図５のステップＳ１において、照明制御部３は、完成された配置図が構築されているか否かを判定する。照明器具Ｈについては、各照明バトン１５の各接続端子Ｄ１，Ｄ２，…と各調光器９との接続関係が既知であれば、照明器具Ｈを新たに照明バトン１５に取り付ける場合でも、照明器具Ｈの配置は把握されている。これに対し、新たな照明器具Ｌを照明バトン１５に取り付けた場合等においては、取り付けた照明器具Ｌの配置位置は不明であり、配置図は完成されていない。この場合（ステップＳ１：ＮＯ）には、照明制御部３は、配置位置を検出したい照明器具Ｌに対して、信号受信状態の命令を送信する（ステップＳ２）。なお、ステップＳ１において、配置図があると判定された場合は、ステップＳ７に進む。
【００４６】
次に、照明制御部３は、送信機２０ａ〜２０ｄから所定の時間間隔で電波を送信させる（ステップＳ３）。照明器具Ｌは、信号受信状態となってから受信機２１が送信機２０ａ〜２０ｄからの電波を受信するまでの時間を照明制御部３に送信する。そして、照明制御部３は、送信機２０ａ〜２０ｄからの電波を受信するまでの時間間隔から照明器具Ｌの配置位置を検出する（ステップＳ４）。
【００４７】
次に、照明制御部３は、全ての照明器具Ｌの配置位置の検出が完了したか否かを判定する（ステップＳ５）。照明制御部３は、全ての照明器具Ｌの配置位置の検出が完了していないと判定した場合、ステップＳ２に戻り、同様の処理を繰り返す。一方、照明制御部３は、全ての照明器具Ｌの配置位置の検出が完了したと判定した場合、照明器具Ｈ，Ｌの配置図を完成させる（ステップＳ６）。
【００４８】
照明制御部３は、以後完成させた配置図を利用して、例えば配置用の照明器具を選択することで、所望の位置の照明器具Ｈ，Ｌを調光制御する（ステップＳ７）。この場合、配置図上またはその周辺に照明器具の点消灯、調光レベル、調色レベル、照明方向等の器具情報を表示するようにしてもよい。
【００４９】
このように本実施の形態においては、調光器９から電力の供給を受ける必要がない照明器具Ｌについては、複数（少なくとも３つ以上）の送信器２０から所定の時間間隔で送信される電波を受信した際の時間間隔（受信時間の差）から配置位置を特定する。この結果、照明制御システム１は、調光器９を必要としない照明器具Ｌであっても、照明制御部３において、自動的に各照明器具の配置位置を把握することができる。
【００５０】
なお、本実施の形態の照明制御システム１は、上述した構成に限定されるものではない。例えば、送信機２０ａ〜２０ｄからの電波の送信信号に所定の時間間隔を持たせなくても、各電波の送信信号の種類を異ならせるようにしてもよい。この場合、照明器具Ｌの受信機２１に信号の種類を判別する機能を持たせる。また、照明器具Ｈに、後付の受信機を設けて、照明器具Ｌと同様に位置検知するようにしてもよい。また、天井１０ａ面の送信機２０ａ〜２０ｄをそれぞれ受信機に代え、照明器具Ｌの受信機２１を送信機に代える。照明制御部３が照明器具Ｌの送信機に電波の送信の命令を送り、照明器具Ｌの送信機は、照明制御部３の制御に基づいて電波を送信し、天井１０ａ面の複数の受信機がその電波を受信する。そして、照明制御部３は、天井１０ａ面の複数（少なくとも３つ以上）の受信機が電波を受信した時間間隔から照明器具Ｌの配置位置を検出するようにしてもよい。
【００５１】
（第２の実施の形態）
図６は、第２の実施の形態に係る照明制御システムを示す説明図であり、図７は、照明器具Ｌの詳細な構成を説明するための図である。なお、図６において、図１と同様の構成要素には同一符号を付して説明を省略する。また、図７において、図３と同様の構成要素には同一符号を付して説明を省略する。
【００５２】
図６に示すように、照明制御システム１は、天井１０ａ面に電波を送信する複数の送信機３１ａ１，３１ａ２，…，３１ｂ１，…，…（以下、代表して送信機３１という）を備えて構成されている。
【００５３】
送信機３１は、天井１０ａ面に例えば碁盤の目のように、一定の間隔で取り付けられている。これらの送信機３１は、略真下に向けて狭い角度で電波を送信する。また、これらの送信機３１は、照明制御部３の制御に基づいて同期信号生成部７から送信される制御信号に応じて、所定の時間間隔、例えば、１秒間隔で順次電波を送信する。
【００５４】
図７に示すように、照明器具Ｌは、図３の受信機２１に代わり、電波の強度を計測することができる受信機２１ａを備えている。照明制御部３は、配置位置を検出したい照明器具Ｌに対して信号受信状態の命令を送信すると、送信機３１から順次電波を送信させる。照明器具Ｌは、照明制御部３から信号受信状態の命令が送信されると、送信機３１から順次送信される電波の強度を受信機２１ａで計測し、その計測結果を照明制御部３に送信する。
【００５５】
照明制御部３は、各送信機３１の位置は予め判っているため、３つ以上の電波の強度から照明器具Ｌの配置位置を検出することができる。照明制御部３は、全ての照明器具Ｌに対して配置位置を検出して配置図を生成し、表示装置６の表示部６ａに表示する。ユーザは、表示部６ａに表示された照明器具を例えばマウスや画面をタッチする等で選択し、点消灯、調光レベル、調色レベル、照明方向等の入力することで、選択した照明器具の制御することができる。その他の構成は、第１の実施の形態と同様である。
【００５６】
次に、このように構成された実施の形態の動作について図８を参照して説明する。図８は、照明制御部３の制御を示すフローチャートである。なお、図８において、図５と同様の処理については同一の符号を付して説明を省略する。
【００５７】
ステップＳ３において、複数の送信機３１から所定の時間間隔で電波が送信されると、照明器具Ｌの受信機２１ａがそれらの電波の強度を測定する。照明器具Ｌは、受信機２１ａが測定した電波の強度を照明制御部３に送信する。そして、照明制御部３は、受信機２１ａが受信した電波の強度（より具体的には、３つ以上の電波の強度）から照明器具Ｌの配置位置を検出する（ステップＳ１１）。その他の処理は、第１の実施の形態と同様である。
【００５８】
このように本実施の形態においては、調光器９から電力の供給を受ける必要がない照明器具Ｌについては、複数（少なくとも３つ以上）の送信機３１から所定の時間間隔で送信される電波の強度を測定し、その測定した電波の強度から配置位置を特定する。この結果、照明制御システム１ａは、調光器９を必要としない照明器具Ｌであっても、照明制御部３において、自動的に各照明器具の配置位置を把握することができる。
【００５９】
なお、本実施の形態の照明制御システム１ａは、上述した構成に限定されるものではない。例えば、天井１０ａ面の送信機３１をそれぞれ電波の強度を測定できる受信機に代え、照明器具Ｌの受信機２１ａを送信機に代える。照明制御部３が照明器具Ｌの送信機に電波の送信の命令を送り、照明器具Ｌの送信機は、照明制御部３の制御に基づいて電波を送信し、天井１０ａ面の複数の受信機がその電波を受信し、その電波の強度を測定する。そして、照明制御部３は、天井１０ａ面の複数（少なくとも３つ以上）の受信機が測定した電波の強度から照明器具Ｌの配置位置を検出するようにしてもよい。
【００６０】
なお、上記各実施の形態において、調光器を必要とする照明器具を採用しない場合には、調光盤及び調光器に接続するための接続端子は省略することができる。
【００６１】
また、点灯制御手段を内蔵する照明器具の他の例としては、レーザーダイオード、有機ＥＬ素子等の半導体発光素子を光源とするもの、蛍光灯光源器具等が挙げられる。
【００６２】
さらに、本実施の形態における各手順の各ステップは、その性質に反しない限り、実行順序を変更し、複数同時に実行し、あるいは実行毎に異なった順序で実行してもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…照明制御システム、２…照明部、３…照明制御部、４…調光盤、５…バトン制御部、６…表示装置、６ａ…表示部、７…同期信号生成部、８…取り付け器具、９…調光器、１０…照明空間、１０ａ…天井、１１，１２…制御線、１５…照明バトン、２０ａ〜２０ｄ，３１…送信機、２１，２１ａ…受信機、２２…方位センサ、２３…角度センサ、Ｈ１〜Ｈ３，Ｌ１〜Ｌ４…照明器具。
【図１】
2015005369.tif 000003
【図２】
2015005369.tif 000004
【図３】
2015005369.tif 000005
【図４】
2015005369.tif 000006
【図５】
2015005369.tif 000007
【図６】
2015005369.tif 000008
【図７】
2015005369.tif 000009
【図８】
2015005369.tif 000010